(57)【要約】      （修正有）【課題】空気流がフィン間において長時間留まり、大量の熱量を放熱する放熱フィンを提供する。【解決手段】フィン１に少なくとも１つの突起部１２があり、突起部１２は側面に少なくとも１つの隙間１２１があり、隙間１２１は空気流を通過させて、乱流を発生させる。これにより、空気流が留まる時間が増加し、放熱フィンから多くの熱量を放熱する。また、突起部１２は、放熱フィンの放熱面積を増加させ、放熱効率を大幅に向上させた。【選択図】図２
0003140904.tif 000002
【実用新案登録請求の範囲】
【請求項１】
フィンを備える放熱フィンであって、
前記フィンは少なくとも１つの突起部を有し、前記突起部は側面に少なくとも１つの隙間を有し、前記隙間は空気流を通過させることを特徴とする放熱フィン。
【請求項２】
前記突起部は四角形、円形又はその他任意の形状であることを特徴とする請求項１に記載の放熱フィン。
【請求項３】
前記隙間は連続する隙間又は分けられた隙間であることを特徴とする請求項１に記載の放熱フィン。
【考案の詳細な説明】
【技術分野】
【０００１】
本考案は、放熱フィンに関し、特に乱流を増加させ、熱源を冷却する放熱フィンに関する。
【背景技術】
【０００２】
テクノロジーが日進月歩する今日において、電子チップの処理速度は、大幅に向上している。それにともない、チップの発熱量も増える一方である。高温は、チップの処理効率を低下させたり、焼損させたりする主な要因であるため、いかに効果的にチップの発熱量を放熱してチップを守るかが現在の課題である。
【０００３】
良好な放熱効果を得るため、大部分の設計は、放熱器の熱伝導面積を増加させたり、放熱器に強制的に空気流を発生させるファンを装着したりして、放熱効率を上げていた。現在では、熱伝導率がさらに高い放熱器が提供されているが、これは複数のフィンを重ねて放熱フィンを形成し、放熱フィン上に導熱管を配置して、放熱効率を上げていた。現在の設計における共通の課題は、いかに効果的に放熱効率を向上させるかに尽きる。放熱フィンは、フィンが板状で、平面部分の両側の折れ曲がった部分に接合部が設けられ、このフィンを一枚づつ組み合わせる形成するものである。ファンにより、強制的に空気流を発生させて放熱フィンを通過させ、各フィン上の熱量を放熱しようとするものであるが、空気流が各フィン上を迅速に通過してしまうため、少量の熱量しか放熱できず、放熱効果は不完全なものであった。
【特許文献１】実願平１１−９９５９号明細書
【考案の開示】
【考案が解決しようとする課題】
【０００４】
本考案の目的は、空気流がフィン間において長時間留まり、大量の熱量を放熱する放熱フィンを提供することにある。
【課題を解決するための手段】
【０００５】
上述の目的を達成するため、本考案は放熱フィンを提供する。本考案の放熱フィンは、フィンに少なくとも１つの突起部があり、突起部は側面に少なくとも１つの隙間があり、隙間は空気流を通過させて、乱流を発生させる。これにより、空気流が留まる時間が増加し、放熱フィンから多くの熱量を放熱する。また、突起部は、放熱フィンの放熱面積を増加させ、放熱効率を大幅に向上させる。
【０００６】
突起部は、四角形、円形又はその他任意の形状であってもよい。また、突起部は、規則的に配置しなくてもよい。これにより、各々の放熱フィンの周囲には、異なる乱流が発生する。同時に、各々の突起部の隙間を用いると、放熱フィン表面の熱交換係数を向上させ、放熱フィンの性能がさらに向上する。
【考案の効果】
【０００７】
本考案の放熱フィンは、乱流の概念を設計における重点と考え、放熱面積を増加させるだけでなく、乱流の作用で空気流がフィン間に留まる時間を増加させて、放熱効率を大幅に向上させることにより、チップの処理効率の低下及び焼損を防止することができる。
【考案を実施するための最良の形態】
【０００８】
以下、本考案の実施形態を図面に基づいて説明する。図１は、本考案の実施形態による放熱フィンを示す斜視図である。図２は、本考案の実施形態による四角形の突起部を示す斜視図である。図１及び図２に示すように、本考案の実施形態における放熱フィン１０は、フィン１、フィン１の両側に設けられた折曲部１１を含む。折曲部１１には、２つのフィン１を接合するため、接合部を設けることもできる。放熱フィン１０のフィン１には、少なくとも１つの突起部１２が設けられ、本考案の実施形態による突起部１２は、四角形を呈する。突起部１２の側面上には、連続する隙間１２１及び分けられた隙間１２１がある。隙間１２１は、空気を吸入して、フィン１の周囲に乱流を発生させるために用いられる。これにより、空気流が留まる時間が増加し、放熱フィン１０からさらに多くの熱量を放熱して、効果的に放熱を行なうことができる。
【０００９】
放熱フィン１０の突起部１２は、規則的に配置しなくてもよい。これにより、各放熱フィン１０の周囲には、異なる乱流が発生する。同時に、各突起部１２の隙間１２１を用いると、放熱フィン１０表面の熱交換係数を向上させ、放熱フィン１０の性能がさらに向上する。
【００１０】
図３は、本考案のもう１つの実施形態による放熱フィンを示す斜視図である。図４は、本考案のもう１つの実施形態による円形の突起部を示す斜視図である。図３及び図４に示すように、本考案のもう１つの実施形態による突起部１２は、円形を呈する。また、本考案のもう１つの実施形態における放熱フィン１０は、フィン１、フィン１の両側に設けられた折曲部１１を含む。折曲部１１には、２つのフィン１を接合するため、接合部を設けることもできる。放熱フィン１０のフィン１には、少なくとも１つの突起部１２が設けられる。突起部１２の側面上には、連続する隙間１２１及び分けられた隙間１２１がある。隙間１２１は、空気を吸入して、フィン１の周囲に乱流を発生させるために用いられる。これにより、空気流が留まる時間が増加し、放熱フィン１０からさらに多くの熱量を放熱して、効果的に放熱を行なうことができる。
【００１１】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１２】
【図１】本考案の実施形態による放熱フィンを示す斜視図である。
【図２】本考案の実施形態による四角形の突起部を示す斜視図である。
【図３】本考案のもう１つの実施形態による放熱フィンを示す斜視図である。
【図４】本考案のもう１つの実施形態による円形の突起部を示す斜視図である。
【符号の説明】
【００１３】
１  フィン
１０  放熱フィン
１１  折曲部
１２  突起部
１２１  隙間
【図１】
0003140904.tif 000003
【図２】
0003140904.tif 000004
【図３】
0003140904.tif 000005
【図４】
0003140904.tif 000006
【手続補正書】
【提出日】平成20年1月29日(2008.1.29)
【手続補正１】
【補正対象書類名】実用新案登録請求の範囲
【補正対象項目名】請求項１
【補正方法】変更
【補正の内容】
【請求項１】
フィンを備える放熱フィンであって、
前記フィンの平面部には少なくとも１つの突起部を有し、前記突起部は側面に少なくとも１つの隙間を有し、前記隙間は空気流を通過させることを特徴とする放熱フィン。